(57)【要約】【課題】デジタル放送受信装置において、コンテンツ配信時に暗号化を行い、容易な視聴の認証、不正アクセスの排除を可能にする。【解決手段】コンテンツと通信制御情報と再生鍵を暗号化し送信する送信装置と、暗号化された信号から通信制御情報と再生鍵を抽出し受信装置へ通知するＣＡＳモジュールと、受信した通信制御情報と再生鍵からコンテンツを復号し表示する受信装置と、通信制御情報から制限されたＷＥＢへのアクセスを行うブラウザ機能を有する。【選択図】図２
2007036367.tif 000002
【特許請求の範囲】
【請求項１】
外部ネットワークに接続される通信処理部と、
放送波を受信する受信部と、
前記受信部から出力されるスクランブルされたトランスポートストリームに対して、デスクランブルを行なうデスクランブラ部と、
前記デスクランブラ部からのトランスポートストリームをデコードするデコード部と、
前記受信部の出力から少なくともコンテンツを暗号化したスクランブル鍵（Ｋｓ）と番組の視聴条件とウエブアクセスをするために必要な通信制御情報を含み、かつ暗号化されたメッセージ情報（ＥＣＭ）と少なくとも番組を視聴判定するための契約情報と前記メッセージ情報（ＥＣＭ）を復号するための復号鍵情報を含み、かつ暗号化されたメッセージ情報（ＥＭＭ）を取得する第１の制御情報取得部と、
視聴契約情報が設定されるＩＣカードを接続するインターフェースと、
前記インターフェースで第１の制御情報取得部で取得された前記メッセージ情報（ＥＣＭ）とメッセージ情報（ＥＭＭ）を前記ＩＣカードに送り、前記メッセージ情報（ＥＣＭ）を送信したときに前記スクランブル鍵（Ｋｓ）が返信された場合、前記デスクランブラ部にこのスクランブル鍵（Ｋｓ）をセットする鍵処理部と、
前記ＩＣカード内で前記ＥＣＭを復号して得られた通信制御情報を前記ＩＣカードから取得する第２の制御情報取得部と、
前記通信処理部によるウエブアクセスを可能とするウエブ制御部と
を有したことを特徴とする放送受信装置。
【請求項２】
前記通信処理部は、双方向通信を行うことを特徴とする請求項１記載の放送受信装置。
【請求項３】
前記ウエブ制御部により前記通信処理部が、ネットワークを介してウエブサーバにアクセスして取得した情報を表示するブラウザ処理部を有することを特徴とする請求項１記載の放送受信装置。
【請求項４】
さらに、前記ＩＣカード内でウエブアクセスに必要な前記通信制御情報がすべて蓄積されたことの通知を前記ＩＣカードから受けたときに、ウエブアクセスの準備ができたことを表示する報告処理部を有したことを特徴とする請求項１記載の放送受信装置。
【請求項５】
さらに、前記ＩＣカード内でウエブアクセスに必要な前記通信制御情報がすべて蓄積されたことの通知を前記ＩＣカードから受けたときに、ウエブアクセスの準備ができたことを表示する報告処理部と、
前記報告処理部が、ウエブアクセスの準備ができたことを表示しているときに、ウエブアクセスを実行する旨の操作入力があったときに、前記ウエブ制御部のウエブアクセスを実行させるウエブアクセス指令部と
を具備した請求項１記載の放送受信装置。
【請求項６】
外部ネットワークに接続される通信処理部と、放送波を受信する受信部と、前記受信部から出力されるスクランブルされたトランスポートストリームに対して、デスクランブルを行なうデスクランブラ部と、前記デスクランブラ部からのトランスポートストリームをデコードするデコード部と、視聴契約情報が設定されるＩＣカードを接続するインターフェースと、動作を統括する制御部を有し、前記制御部により、
前記受信部の出力から少なくともコンテンツを暗号化したスクランブル鍵（Ｋｓ）と番組の視聴条件とウエブアクセスをするために必要な通信制御情報を含み、かつ暗号化されたメッセージ情報（ＥＣＭ）と少なくとも番組を視聴判定するための契約情報と前記メッセージ情報（ＥＣＭ）を復号するための復号鍵情報を含み、かつ暗号化されたメッセージ情報（ＥＭＭ）を取得し、
取得された前記メッセージ情報（ＥＣＭ）とメッセージ情報（ＥＭＭ）を前記ＩＣカードに送り、
前記メッセージ情報（ＥＣＭ）を送信したときに前記スクランブル鍵（Ｋｓ）が前記ＩＣカードから返信された場合、前記デスクランブラ部にこのスクランブル鍵（Ｋｓ）をセットし、
前記ＩＣカード内で前記メッセージ情報（ＥＣＭ）を復号して得られた通信制御情報を前記ＩＣカードから取得し、前記通信処理部によるウエブアクセスを可能とする
放送受信装置の通信制御方法。
【請求項７】
前記通信処理部では、双方向通信が行われる請求項６記載の放送受信装置の通信制御方法。
【請求項８】
前記ウエブ制御部により前記通信処理部が、ネットワークを介してウエブサーバにアクセスして取得した情報をブラウザ処理部の制御で表示することを特徴とする請求項６記載の放送受信装置の通信制御方法。
【請求項９】
さらに、前記通信制御情報が蓄積され、所定の状態に完成したことの通知を前記ＩＣカードから受けたときに、ウエブアクセスの準備ができたことを報告処理部の制御で表示することを特徴とする請求項６記載の放送受信装置の通信制御方法。
【請求項１０】
さらに、前記通信制御情報が蓄積され、所定の状態に完成したことの通知を前記ＩＣカードから受けたときに、ウエブアクセスの準備ができたことを報告処理部の制御で表示し、
前記報告処理部が、ウエブアクセスの準備ができたことを表示しているときに、ウエブアクセスを実行する旨の操作入力があったときに、前記ウエブ制御部のウエブアクセスをウエブアクセス指令部に実行させる
を具備した請求項６記載の放送受信装置の通信制御方法。
【請求項１１】
放送受信装置に接続されるインターフェースと、記憶部と、動作を統括する制御部を有したＩＣカードにおいて、
前記放送受信装置側から転送されてくるメッセージ情報（ＥＭＭ）を不揮発メモリに記憶している鍵情報で復号し、契約情報とメッセージ情報（ＥＣＭ）を復号するための鍵情報を不揮発メモリに記憶する手段と、
前記放送受信装置側から転送されてくるメッセージ情報（ＥＣＭ）と不揮発メモリに記憶している前記鍵情報を用いて復号し、スクランブル鍵（Ｋｓ）を抽出し、前記放送受信装置に転送する手段と、
前記放送受信装置側から転送されてくるＥＣＭ内に特定の通信制御情報があるか否かを判定する判定手段と、
前記判定手段で前記通信制御情報があると判定された場合に前記通信制御情報に含まれる属性情報を検査し、この検査結果に応じて蓄積すると判断された場合に前記通信制御情報を前記記憶部に蓄積する手段と、
ウエブアクセスに必要な前記通信制御情報がすべて蓄積されたときに、前記放送受信装置に通信制御情報の取得可能状態を通知する通知手段と、
を具備したことを特徴とするＩＣカード。
【請求項１２】
前記放送受信装置に転送する手段は、前記通知手段で通知後、前記放送受信装置に対して、前記記憶部に蓄積された前記通信制御情報を自動送出することを特徴とする請求項１１記載のＩＣカード。
【請求項１３】
前記放送受信装置に転送する手段は、前記通知手段で通知後、前記放送受信装置側から前記通信制御情報の取得要求があったときに、前記放送受信装置に対して、前記記憶部に蓄積された前記通信制御情報を送出することを特徴とする請求項１１記載のＩＣカード。
【請求項１４】
コンテンツをスクランブル鍵（Ｋｓ）によりスクランブルするスクランブラと、
前記スクランブル鍵（Ｋｓ）を含むとともにウエブアクセスに必要な通信制御情報を含み、ワーク鍵（Ｋｗ）により符号化したメッセージ情報（ＥＣＭ）を得る第１制御情報処理部と、
前記ワーク鍵（Ｋｗ）を含みマスター鍵（Ｋｍ）により復号可能な第２制御情報を生成する第２制御情報処理部と、
前記スクランブラ、第１制御情報処理部、第２制御情報処理部からの出力を多重して、送出するマルチプレクサと、
を具備したことを特徴とする送信装置。
【請求項１５】
前記通信制御情報は、前記コンテンツが送信される時間内に時分割して通信制御情報出力部から出力されることを特徴とする請求項１４記載の送信装置。
【発明の詳細な説明】
【技術分野】
【０００１】
この発明は例えばデジタル放送受信装置に適用されて有効な、映像受信装置、その通信制御方法、ＩＣカード及び送信装置に関し、特にＩＣカードを使用し暗号化された情報を受信できるようにし、またＩＣカードの利用形態を拡張するものである。
【背景技術】
【０００２】
周知のように近年では、テレビジョン放送のデジタル化が推進されてきている。例えば、日本国内においてはＢＳ（broadcasting satellite）デジタル放送及び１１０度ＣＳ（communication satellite）デジタル放送等の衛星デジタル放送だけでなく、地上デジタル放送も開始されている。
【０００３】
デジタル放送の番組によっては、番組を視聴している視聴者に、ポイントが与えられるものがある。視聴者はその与えられたポイントにより、特典として例えばイベントの入場券、映画の入場券等を得ることができる。しかし、受信装置において、番組が選局されているだけでポイントが与えられるシステムでは、視聴者がきちんと番組を視聴しているかどうか判定することは困難である。実際は、視聴者はその番組を視聴していないのにポイントが与えられてしまう。このような問題を解決するために、番組の視聴中に視聴者がポイント獲得手段を操作することで、ポイントを取得できる蓄積システムがある（例えば特許文献１参照）。
【特許文献１】特開２００３−９１２９公報
【発明の開示】
【発明が解決しようとする課題】
【０００４】
上記のポイント蓄積システムにおいて、例えばポイントによって与えられる特典がＷＥＢコンテンツへのアクセス権利だとした場合、問題が生じる。例えばポイントを有していない人が、ポイントを取得したＷＥＢコンテンツへのアクセス権利を所有している人からアドレス、パスワードを聞くことができる。そしてポイントを有しない人が不正にＷＥＢアクセスすることが可能であり、このような不正者のチェックは非常に困難である。
【０００５】
よって上記のポイント蓄積システムでは、不正アクセスの危険があり、番組の視聴率向上に思う効果をもたらさない可能性がある。
【０００６】
そこでこの発明は、番組を視聴した人の特典として与えられるＷＥＢアクセス権の秘匿性を高めることができる、映像受信装置、その通信制御方法、ＩＣカード及び放送装置を提供することを目的とする。
【課題を解決するための手段】
【０００７】
上記の問題を解決するために、本発明の一実施の形態に係る放送受信装置は、外部ネットワークに接続される通信処理部と、放送波を受信する受信部と、前記受信部から出力されるスクランブルされたトランスポートストリームに対して、デスクランブルを行なうデスクランブラ部と、前記デスクランブラ部からのトランスポートストリームをデコードするデコード部と、前記受信部の出力から少なくとも暗号化されたスクランブル鍵（Ｋｓ）が含まれているメッセージ情報（ＥＣＭ）を取得する第１の制御情報取得部と、視聴契約情報が設定されるＩＣカードを接続するインターフェースと、前記ＩＣカードで前記メッセージ情報（ＥＣＭ）が復号され、復号化された前記スクランブル鍵（Ｋｓ）が返信されたとき、前記デスクランブラ部にこのスクランブル鍵（Ｋｓ）をセットする鍵処理部と、前記ＩＣカードからから通信制御情報を取得する第２の制御情報取得部と、取得された通信制御情報が蓄積され、所定の状態に完成したことの通知を前記ＩＣカードから受けたときに、前記通信処理部によるウエブアクセスを可能とするウエブ制御部とを有する。
【０００８】
また本発明の一実施の形態に係るＩＣカードは、放送受信装置に接続されるインターフェースと、記憶部と、動作を統括する制御部を有したＩＣカードにおいて、前記放送受信装置側から転送されてくるメッセージ情報（ＥＣＭ）と不揮発メモリに記憶している契約情報に含まれる復号鍵を用いて、前記メッセージ情報（ＥＣＭ）を復号して取り出したスクランブル鍵（Ｋｓ）を前記放送受信装置に転送する手段と、前記復号したメッセージ情報（ＥＣＭ）に特定の通信制御情報があるか否かを判定する手段と、前記通信制御情報があるときその属性を検査し、通信制御情報を記憶部に蓄積するべきか否かを判定する判定手段と、前記記憶部に蓄積された通信制御情報が、所定の内容に完成したとき、前記放送受信装置に通信制御情報の完成状態を通知する通知手段と、を備える。
【０００９】
また本発明の一実施の形態に係る放送装置は、コンテンツをスクランブル鍵（Ｋｓ）によりスクランブルするスクランブラと、前記スクランブル鍵（Ｋｓ）を含むとともに通信制御情報を含み、ワーク鍵（Ｋｗ）により符号化したメッセージ情報（ＥＣＭ）を得る第１制御情報処理部と、前記ワーク鍵（Ｋｗ）を含みマスター鍵（Ｋｍ）により復号可能な第２制御情報を生成する第２制御情報処理部と、前記スクランブラ、第１制御情報処理部、第２制御情報処理部からの出力を多重して、送出するマルチプレクサとを有する。
【発明の効果】
【００１０】
上記の手段により、ＩＣカードとの認証処理を伴いながら、番組放送中にタイムシェアー（時分割）して送られてくる通信制御情報（ポイント情報）を複数蓄積してはじめてアクセス権を持つ全ポイント情報を取得できるので、アクセス権の秘匿性を高めることができる。
【発明を実施するための最良の形態】
【００１１】
以下、図面を参照しながらこの発明の実施の形態を説明する。
【００１２】
図１は、本発明が適用されたデジタル放送受信装置１０１の構成を示すブロック図である。１０７は制御部であり、このデジタル放送受信装置１０１の各ブロックの動作及びシーケンスを統括して制御する。
【００１３】
チューナー１０２は、アンテナより導かれた放送波から所望のチャンネルを選局し、この選局したチャンネルの暗号化トランスポートストリーム（Transport stream、以下ＴＳと記す）をデスクランブラ１０３へ出力する。また後で説明するＥＣＭ，ＥＭＭなどの制御情報を抽出することができる。これらは、制御部１０７に入力されて解析される。
【００１４】
デスクランブラ１０３は、後述する鍵（Ｋｓ）を利用したデスクランブル処理を行い、解凍されたＴＳストリームを出力する。ＴＳデコード部１０４は、ＴＳから所望のパケットを分離する。圧縮された映像、音声信号が含まれるパケットは、映像音声デコード部１０５に入力されて、復号される。
【００１５】
ＴＳデコード部１０４は、ＴＳから必要なパケットを分離するもので、この分離したパケットからさらに、各種多重データ（各種ＳＩ（Service Information）データ）を分離する。
【００１６】
映像信号は表示処理部１０６でデコードされた映像信号を、モニタに合わせて出力する。またデコード部１０５から音声信号はスピーカシステムに出力される。表示処理部１０６は、ＴＳデコード部１０４で分離されたＳＩ（Service information）データを用いて構築したＥＰＧ(Electric program guide)画面をモニタに送り表示させることもできる。またこの表示処理部１０６は、ブラウザ手段としても機能する、また各種エラー情報をモニタに表示させる、さらにメニュ画面を表示させるなどして、ユーザーとのインターフェース機能を果たす役割も備えている。
【００１７】
１０８は、キー入力部であり、リモートコントローラ１０９からの操作信号を受けて、そのコマンドを制御部１０７に送る。制御部１０７は、コマンド内容を解析して、操作内容を装置に反映させる。
【００１８】
１１２はメモリ部であり、ＲＡＭ，不揮発性メモリなどで構成さる。
【００１９】
また、このデジタル放送受信装置１０１には、イーサネット（登録商標）等のネットワーク回線に接続することができる通信処理部１１１が設けられている。この通信処理部１１１は、所定のフォーマットのプロトコールによる送受信機能を有する。この通信処理部１１１は、コンテンツ配信業者のサーバをアクセスして、情報を取り込むことができる。
【００２０】
さらにこの通信処理部１１１は、コンテンツデータ、ＥＣＭ、ＥＭＭを受信することができる。コンテンツデータは、パケットにより送られてくるので、そのパケットを含むＴＳをＴＳデスクランブラ１０３へと出力する。
【００２１】
ＥＭＭは、エンタイトルメント・マネジメント・メッセージ（Entitlement Management Message data）と称せられ、各受信装置に伝送する個別の視聴契約情報である。ＥＭＭにはＩＣカード固有のＩＤ（Identification）番号が付加されている。ＥＭＭは、ＩＣカード固有のＩＤ毎にユニークなマスター鍵（Ｋｍ）により暗号化され、放送信号に多重されており、マスター鍵（Ｋｍ）で復号化すると、ＥＭＭからは、ワーク鍵（Ｋｗ）を得ることができる。
【００２２】
ＥＣＭ（Entitlement Control Message）は、ワーク鍵（Ｋｗ）で暗号されているので、このワーク鍵（Ｋｗ）を用いてＥＣＭが復号されると、コンテンツ鍵（Ｋｓ）を生成することができる。
【００２３】
デジタル放送信号受信装置１０１は、さらにＩＣカードインターフェース１１０を設けられており、ここにＩＣカード１１５を接続することができる。このＩＣカード１１５は、例えばコンディショナルアクセスシステム（Conditional Access System:CAS)モジュールである。
【００２４】
ＣＡＳモジュール１１５は、Ｉ／Ｆ部１１８、ＲＡＭ１１７，ＲＯＭ１１６，ＣＰＵ１１９，不揮発性メモリ１２０を有する。また図示していないが、ＩＣカードインターフェース部１１０から電源を供給する電源供給ラインも設けられている。
【００２５】
上記ＩＣカード１１５は、契約管理、視聴制御を行うのに利用される。不揮発性メモリ１２０にはカードＩＤ、カード固有のマスター鍵（Ｋｍ）が設定されている。制御部１０７の制御に基づいて、ＥＭＭが入力された場合、ＣＰＵ１１９はマスター鍵（Ｋｍ）でＥＭＭの復号処理を行い、ワーク鍵（Ｋｗ）等を含む視聴契約情報を取り出し、これらの情報を不揮発性メモリ１２０に格納する。
【００２６】
制御部１０７の制御に基づいて、ＥＣＭが入力された場合、ＣＰＵ１１９は不揮発性メモリ１２０に記憶されているワーク鍵Ｋｗで、ＥＣＭの復号を行い、さらに契約情報を参照して番組を視聴可能かどうか判断し、視聴可能な場合は抽出したスクランブル鍵（Ｋｓ）を受信装置に返信する。
【００２７】
デジタル放送受信装置１０１が受信したコンテンツは、制御部１０７が上記スクランブル鍵（Ｋｓ）をデスクランブラ１０３にセットすることでコンテンツのデスクランブルが行われて、初めて視聴可能な状態となる。
【００２８】
あとでその機能及び動作が詳細に説明されるが、制御部１０７には、制御情報取得部１０７ａ，１０７ｂが含まれる。さらに鍵処理部１０７ｃ、ウエブ制御部１０７ｄ、報告処理部１０７ｅ、ウエブアクセス指令部１０７ｆ、ブラウザ処理部１０７ｇが含まれる。
【００２９】
また、ＩＣカード１１５には、Ｋｓ復号処理部１１９ａ、Ｋｓ転送処理部１１９ｂ、通信制御情報確認部１１９ｃ、通信制御情報蓄積判定部１１９ｄ、通信制御情報内容判定及び通知処理部１１９ｅが含まれる。
【００３０】
ここでは、上記のＥＭＭ，ＥＣＭはデスクランブラ１０３では処理されず、デスクランブラ１０３で処理される信号はあくまでもスクランブル鍵（Ｋｓ）で暗号化されたコンテンツのみである。デスクランブラ１０３は、任意データを指定してデスクランブル処理を行うものと、スルーするものを選択できるものとしている。ＥＭＭ，ＥＣＭはデスクランブラ１０３をスルーしてＩＣカード１１５に暗号化されたまま入力される。
【００３１】
デジタル放送信号のトランスポートストリーム（ＴＳ）入力は、１８８バイトのパケット単位の入力となる。デスクランブラ１０３は、パケット単位で任意のパケットを指定してデスクランブルを行なう。
【００３２】
図２は、本発明に係る映像受信装置における通信制御方法の全体シーケンスを示す説明図である。配信業者の送信装置２０１は番組コンテンツ、ＥＣＭを受信装置１０１へ送信する（ステップＳ１）。受信装置１０１は番組コンテンツ、ＥＣＭを受信し、放送信号の中からＥＣＭを抽出し、このＥＣＭをＩＣカード１１５へ送信する（ステップＳ２）。なおＥＭＭの処理については省略している。
【００３３】
ＩＣカード１１５は復号鍵（ワーク鍵（Ｋｗ））を用いて、ＥＣＭを復号し、スクランブル鍵（Ｋｓ）を抽出する（ステップＳ３）。このスクランブル鍵（Ｋｓ）は、受信装置１０１のデスクランブラ１０３にセットされる（ステップＳ４）。
【００３４】
これにより受信装置１０１はスクランブル鍵（Ｋｓ）を受け取りコンテンツの復号を行い番組の再生を行なう（ステップＳ５）。
【００３５】
ここで、放送されているコンテンツの番組が、ユーザーがポイントを得られるような番組でない場合は、再生が行われるだけである。しかし、ユーザーが番組を視聴した後、そのユーザーがポイントを得られる場合、次のような処置がなされている。
【００３６】
送信装置２０１（配信事業者）は、ＷＥＢサーバ２１０に対して、番組に関連する情報のページに対して、アクセス制限情報（ログインＩＤ、パスワード等）を設定している（ステップＳ６）。
【００３７】
このような場合、送信装置２０１は設定されたアドレス、ログインＩＤ、パスワード等をＥＣＭに通信制御情報として入れ、任意のタイミングで受信装置１０１へ送信する（ステップＳ７）。受信装置１０１は番組コンテンツと、通信制御情報が含まれるＥＣＭを受信する。ＥＣＭは、ＩＣカード１１５へ送られる（ステップＳ８）。ＩＣカード１１５は、ＥＣＭからスクランブル鍵（Ｋｓ）を復号し受信装置１０１へ送信する（ステップＳ９）。
【００３８】
また、ＩＣカード１１５では、ＥＣＭに含まれる通信制御情報処理が開始される。即ち、ＩＣカード１１５はＥＣＭを受信時に、通信制御情報があるかどうかをチェックし、後述する蓄積を行なう。この装置では、通信制御情報は、時分割で送られてくるので、単純に１度だけ受信したからといって、すぐにＷＥＢサーバのアクセス権を得られるものではない。通信制御情報は、受信毎にＲＡＭ１１７もしくは不揮発性メモリ１２０の少なくともいずれかに記憶される。
【００３９】
ＩＣカード１１５のＣＰＵ１１９は、属性情報から通信制御情報を利用できる準備が整っているかどうかを判断する。今、通信制御情報が規定通り収集されたものとする。すると、ＩＣカード１１５は、ＷＥＢアクセス準備が可能である旨を受信装置１０１へ通知する（ステップＳ１０）。
【００４０】
受信装置１０１は上記の通知を受けると、ＩＣカード１１５に通信制御情報を要求する（ステップＳ１１）。この要求は、自動的に行なわれてもよいし、またはユーザ（視聴者）の判断を仰いだ後、行なわれてもよい。受信装置１０１は、視聴者の判断を求めるときは、例えば画面上に例えば「ＷＥＢサーバへのアクセス準備完了」あるいは「特典を受けられます」などのようにコメントを表示する。
【００４１】
上記の要求があると、ＩＣカード１１５はアドレス、ＩＤ、パスワードを受信装置１０１へ送信する（ステップＳ１２）。取得した情報をもとに受信装置１０１はＷＥＢサーバ２１０の該当ページへアクセスし（ステップＳ１３）、当該ページのブラウジングを行う（ステップＳ１４、Ｓ１５）。そして処理を終了する。
【００４２】
ここでは、ＩＣカード１１５では受信装置１０１からの要求後にアドレス、ＩＤ、パスワードを受信装置１０１へ送信する例を示したが、ＷＥＢアクセス準備が可能である旨を受信装置１０１へ通知ときに一緒にこれらアドレス、ＩＤ、パスワードの情報を送出するようにしてもよい。
【００４３】
図３は、ＩＣカード１１５内でＥＣＭ受信し、処理するときの動作を示すフローチャートである。
【００４４】
ＩＣカード１１５はステップＳＡ１６でＥＣＭを受信し、ステップＳ１７で、ワーク鍵（Ｋｗ）を用いてスクランブル鍵（Ｋｓ）の復号を行う。次に不揮発性メモリに記憶している契約情報と復号したＥＣＭを比較して番組の視聴が可能かどうか判定する（ステップＳＡ１８）。視聴が不許可であれば視聴不可を応答し（ステップＳＡ１９）、視聴可能であれば、通信制御情報の有無をチェックする（ステップＳＡ２０）。
【００４５】
ＩＣカード１１５は、通信制御情報がなければＫｓを応答し（ステップＳＡ２１）処理を終了するが、通信制御情報があれば取得した属性情報とＲＡＭメモリ１１７内の属性情報の検査を行い（ステップＳＡ２２）、通信制御情報を記憶すべきか、更新すべきかを判定する（ステップＳＡ２３）。更新情報、差分情報がある場合はＲＡＭ１１７（もしくは不揮発性メモリ）内の情報を更新する（ステップＳＡ２４）。記憶する必要が無い場合は、スクランブル鍵（Ｋｓ）を受信装置へ通知する（ステップＳＡ２７）。
【００４６】
ステップＳＡ２４で通信制御情報を更新した後、ＷＥＢサーバへアクセスするだけの情報の準備が整ったかどうかをチェックする（ステップＳＡ２５）。スクランブル鍵（Ｋｓ）と整った通信制御情報の通知が可能であれば、ステップＳＡ２７でＩＣカード１１５は、受信装置１０１へ、Ｋｓを通知、またＷＥＢアクセス準備ＯＫを報告する。
【００４７】
また、ＩＣカード１１５が、ステップＳＡ２３で更新情報、差分情報がないと判断した場合、ステップＳＡ２５で受信装置１０１に通信制御情報を通知しないと判断した場合は、それぞれＫｓのみを通知し（ステップＳＡ２７）、処理を終了する（ステップＳＡ２８）。
【００４８】
このような通信制御情報を処理可能にするかどうかは、カード個別に情報の設定が可能なメッセージ情報（ＥＭＭ）で設定することが可能であり、デフォルトの契約ではたとえばステップＳＡ２０の分岐を常に「いいえ」を選択するようにし、プレミアムな契約としてＳＡ２０の分岐を有効にするようなサービスが想定される。
【００４９】
図４は、受信装置１０１側の動作を示すフローチャートである。受信装置１０１は送信装置（配信事業者）２０１より番組コンテンツとＥＣＭを受信する（ステップＳＢ２９）。受信装置１０１はステップＳＢ３０でＥＣＭをＩＣカード１１５に送信し、ステップＳＢ３１で視聴可能の場合にスクランブル鍵Ｋｓを受け取り、視聴不可の場合、受信装置１０１は視聴不可のメッセージを表示し（ステップＳＢ３２）、処理を終了する（ステップＳＢ４０）。
【００５０】
視聴可能でスクランブル鍵Ｋｓが取得できた場合、受信装置１０１はステップＳＢ３３でスクランブル鍵（Ｋｓ）をデスクランブラ１０３にセットする。これにより、ＴＳのデスクランブルが行われる。さらにＩＣカードから応答される情報から通信制御情報の有無をチェックする（ステップＳＢ３４）。
【００５１】
通信制御情報が無い場合は、処理を終了し、受信装置１０１は、その後は、スクランブル鍵（Ｋｓ）を用いたデスクランブルを行なう。
【００５２】
通信制御情報がある場合、自動表示モードになっているかどうかを判定する（ステップＳＢ３５）。自動表示モードは、ユーザーが設定しているもので、通信制御情報があるときにＷＥＢサーバより取得した情報を自動表示するように設定しているモードである。自動表示モードが設定されていない場合には、ユーザーがその都度、表示非表示を決められるモードである。
【００５３】
自動表示モードでない場合には、その都度メッセージを表示する（ステップＳＢ３６）、次に、ユーザーの操作により、ＷＥＢアクセスするか否かの指示が入力される（ステップＳＢ３７）。ユーザーがＷＥＢ表示を指示した場合、ステップＳＢ３８で受信装置１０１はＩＣカード１１５よりアドレス、ＩＤ、パスワード等の通信制御情報を取得し、ＷＥＢアクセスを実行し（ステップＳＢ３９）、処理を終了する（ステップＳＢ４０）。
【００５４】
また、ステップＳＢ３４で通信制御情報がないという場合、ステップＳＢ３７でＷＥＢを表示しないと選択された場合は、ここで処理終了となる（ステップＳＢ４０）。
【００５５】
図５は配信業者の送信装置２０１の構成を示すブロック図である。配信すべきコンテンツ２０２は、スクランブラ２０４でスクランブル鍵（Ｋｓ）によって、スクランブルされる。スクランブル鍵（Ｋｓ）は、スクランブル鍵（Ｋｓ）発生装置２０３より出力されている。スクランブラ２０４でスクランブルされたコンテンツは、マルチプレクサ２０９へ送信される。また、スクランブル鍵（Ｋｓ）と、ワーク鍵（Ｋｗ）発生装置２０５より出力されるＫｗと、通信制御情報２０６は、ＥＣＭ生成装置２０７に入力される。通信制御情報２０６、スクランブル鍵（Ｋｓ）はワーク鍵（Ｋｗ）により暗号化され、ＥＣＭが生成される。このＥＣＭは、マルチプレクサ２０９へ送信される。また、ワーク鍵（Ｋｗ）はＥＭＭ生成装置２０８に入力されている。ＥＭＭ生成装置２０８は、ワーク鍵（Ｋｗ）をＩＣカード毎に固有なマスター鍵（Ｋｍ）で暗号化して、ＥＭＭを生成している。このＥＭＭも、マルチプレクサ２０９へ送信される。
【００５６】
スクランブルされたコンテンツ、ＥＣＭ、ＥＭＭはマルチプレクサ２０９により多重化され受信装置１０１へ配信される。
【００５７】
ＥＣＭは番組コンテンツ毎に通信制御情報の有無及び挿入タイミングを設定した情報を含んでいる。また、ＷＥＢサーバ２１０のアドレス、ＩＤ、パスワード等の通信制御情報はＩＣカード１１５で情報をどう制御するかを示す属性情報を含んでいる。
【００５８】
図６は、本発明における通信制御方法の通信制御情報に付与される属性情報の構成例を示す図である。属性情報は、制御フラグ、データの状態を示す番号、データの開始番号、データの終了番号、有効期限から成り、これらが１つの制御単位となっている。制御フラグ“１”は、通信制御情報が存在することを意味する。現番号“３”は、今送ってきている通信制御情報が第３番目であることを示す。開始番号は、データの先頭の番号であり、終了番号は、データの最後の番号である。つまりこの図の例の場合は、５個の制御データが送られてくることを意味し、現在第３番目であることを示している。さらにまた、有効期限を示す情報が含まれている。
【００５９】
したがって、この種制御データを１から５番目まで収集したらＷＥＢアクセス準備ＯＫであり、有効期限が８月８日までであることを示している。完成した通信制御情報には、アドレス、ログインＩＤ，パスワードなどが含まれている。
【００６０】
図７はコンテンツ受信時に上記制御フラグを受けた受信装置の動作を示す図である。受信装置１０１でコンテンツを受信する際、ＥＣＭ１−０、ＥＣＭ１−１、ＥＣＭ２−０、ＥＣＭ２−１、ＥＣＭ３−０、ＥＣＭ３−１、ＥＣＭ４−０、ＥＣＭ４−１、ＥＣＭ５−０、ＥＣＭ５−１のＥＣＭが送られてくる。送られてきたＥＣＭの中で、ＥＣＭ１−０、ＥＣＭ２−０、ＥＣＭ３−０、ＥＣＭ４−０、ＥＣＭ５−０は通信制御情報を含まないＥＣＭであり、ＥＣＭ１−１、ＥＣＭ２−１、ＥＣＭ３−１、ＥＣＭ４−１、ＥＣＭ５−１は通信制御情報を含むＥＣＭである。
【００６１】
通信制御情報内の制御フラグが「個々に出力」の場合、通信制御１−１から通信制御５−１が送られてくるたびにＩＣカード１１５内のＲＡＭメモリ１１７に通信制御情報が更新され、その都度受信装置１０１に通知され、受信装置１０１はこの通信制御情報を取得する。
【００６２】
通信制御内の制御フラグが「個々に出力不可」の場合、通信制御情報はＩＣカード１１５内に追加記憶される。通信制御１−１から通信制御５−１の５個全て集まった時点でＩＣカード１１５内のＲＡＭメモリ１１７の通信制御情報が最終的に出力可能な状態に完成し、この後受信装置１０１に通知され、受信装置１０１では始めて通信制御情報の取得が可能になる。
【００６３】
このような方式を利用すれば、番組全てを視聴した後に特典として提供するＷＥＢアクセスが可能になり、視聴率の向上に効果が期待できる。
【００６４】
上記した装置において、特徴的な部分を纏めると以下のようになる。制御情報取得部１０７ａは，受信部の出力から少なくとも暗号化されたスクランブル鍵（Ｋｓ）が含まれているＥＣＭ（メッセージ情報）を取得する。さらに詳しくは、制御情報取得部１０７ａは，受信部（１０２）の出力から少なくともコンテンツを暗号化したスクランブル鍵（Ｋｓ）と番組の視聴条件を含み、かつ暗号化されたメッセージ情報（ＥＣＭ）と少なくとも番組を視聴判定するための契約情報と前記メッセージ情報（ＥＣＭ）を復号するための復号鍵情報を含み、かつ暗号化されたメッセージ情報（ＥＭＭ）を取得することができる。
【００６５】
鍵処理部１０７ｃは、ＩＣカード１１５でＥＣＭが復号され、復号化されたスクランブル鍵（Ｋｓ）が返信されたとき、デスクランブラ部１０３にこのスクランブル鍵Ｋｓをセットする。
【００６６】
制御情報取得部１０７ｂは，ＩＣカードから通信制御情報を取得する。そして、ウエブ制御部１０７ｄは、取得された通信制御情報がＩＣカード１１５において、蓄積され、所定の状態に完成したことの通知をＩＣカードから受けたときに、前記通信処理部１１１によるウエブアクセスを可能とする。
【００６７】
ここで通信処理部１１１は、双方向通信を行う。またブラウザ処理部１０７ｇは、ウエブ制御部１０７ｄにより通信処理部１１１が、ネットワークを介してウエブサーバにアクセスして取得した情報を表示する。
【００６８】
さらに、報告処理部１０７ｅは、通信制御情報がＩＣカード内で蓄積され、所定の状態に完成したことの通知をＩＣカードから受けたときに、ウエブアクセスの準備ができたことを表示する。
【００６９】
さらに、ウエブアクセス指令部１０７ｆは、報告処理部１０７eが、ウエブアクセスの準備ができたことを表示しているときに、ウエブアクセスを実行する旨の操作入力があったときに、ウエブ制御部１０７ｄのウエブアクセスを実行させることができる。
【００７０】
また、ＩＣカード１１５においては、Ｋｓ復号処理部１１９ａ、Ｋｓ転送処理部１１９ｂがあり、これらは、放送受信装置側から転送されてくるメッセージ情報（ＥＣＭ）を不揮発メモリ内に記憶している契約情報に基づくワーク鍵を用いて復号し、復号したＥＣＭと契約情報を比較して視聴可能ならば、ＥＣＭに含まれるスクランブル鍵（Ｋｓ）を前記放送受信装置に転送する。又通信制御情報確認部１１９ｃは、放送受信装置側から転送されてくる特定の通信制御情報があるか否かを判定している。さらに通信制御情報蓄積判定部１１９ｄは、通信制御情報があるときその属性を検査し、通信制御情報を記憶部、例えばＲＡＭ１１７に蓄積するべきか否かを判定している。そして、通信制御情報内容判定及び通知処理部１１９ｅは、記憶部に蓄積された通信制御情報が、所定の内容に完成したとき、放送受信装置に通信制御情報の完成状態を通知する。また、通知処理部は、通信制御情報の完成状態を通知するとともに、放送受信装置に対して、ウエブアクセス権の情報を自動転送する手段を含む。
【００７１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７２】
【図１】本発明におけるデジタル放送受信装置の構成を示すブロック図である。
【図２】本発明における通信制御方法の全体のシーケンスを示す図である。
【図３】ＩＣカード内でのＥＣＭ受信処理時の動作を示すフローチャートである。
【図４】受信機での視聴処理の動作を示すフローチャートである。
【図５】配信業者の送信装置の構成を示すブロック図である。
【図６】本発明における通信制御方法の通信制御情報に付与される属性情報の構成を示す図である。
【図７】コンテンツ受信時に制御フラグを受けた受信機の動作を示す説明図である。
【符号の説明】
【００７３】
１０１…デジタル放送受信装置、１０２…チューナー、１０３…スクランブラ、１０４…ＴＳデコード部、１０５…映像音声デコード部、１０６…表示部、１０７…制御部、１０８…キー入力部、１０９…リモコン、１１０…ＩＣカードＩ／Ｆ部、１１１…通信処理部、１１２…メモリ部、１１５…ＩＣカード、１１６…ＲＯＭ、１１７…ＲＡＭメモリ、１１８…Ｉ／Ｆ部、１１９…ＣＰＵ、１２０…不揮発メモリ、２０１…送信装置、２０２…コンテンツ、２０３…スクランブル鍵発生装置、２０４…スクランブラ、２０５…ワーク鍵発生装置、２０６…通信制御情報、２０７…ＥＣＭ生成装置、２０８…ＥＭＭ生成装置、２０９…マルチプレクサ。
【図１】
2007036367.tif 000003
【図２】
2007036367.tif 000004
【図３】
2007036367.tif 000005
【図４】
2007036367.tif 000006
【図５】
2007036367.tif 000007
【図６】
2007036367.tif 000008
【図７】
2007036367.tif 000009